(57)【要約】      （修正有）【課題】電子ブック及び類似のタブレット製品を含むタブレットＰＣの保護フレーム構造であり、特に、本体、軟質カバー、及び金属スタンドの組み合わせによって、タブレットＰＣを、横向きで直立置き又は斜め寝かせ置き、或いは縦向きで直立置き又は斜め寝かせ置きの形態で作業スペースに置くことができるタブレットＰＣの保護フレーム構造を提供する。【解決手段】各スタンド４０，５０，６０，７０は、適度な角度と強度を有し、滑り止め防止、振動防止機能を有する本体３０及び軟質カバー１０との組み合わせによって、使用者の閲覧の利便性を有するだけでなく、更に使用者のタッチパネルの利便性を向上している。また、比較的硬いカバーとスタンドの組み合わせと、カバーに直接手持ち用の取っ手を設けることとによって、右利きの使用者がタブレットＰＣ２０を左手で縦持ち又は横持ちし、右手でタブレットＰＣを操作できるようにし、同様に、左利きの使用者がタブレットＰＣを右手で縦持ち又は横持ちし、左手でタブレットＰＣを操作できるようにしている。【選択図】図３
0003164188.tif 000002
【実用新案登録請求の範囲】
【請求項１】
タブレットＰＣの保護フレーム構造であって、
前記タブレットＰＣや電子ブックの背面の一部を被覆し、四辺の側面と正面の一部を被覆するのに用いられる軟質カバーと、
前記タブレットＰＣや電子ブックの背面に装着され、四辺の側面を被覆する本体と、
前記本体の背面の横向き直立置きスタンド収納溝と縦向き直立置きスタンド収納溝にそれぞれ載置された、一つ又は一つ以上の横向き直立置きスタンド及び一つ又は一つ以上の縦向き直立置きスタンドと、
前記本体の背面の横向き斜め寝かせ置きスタンド収納溝に載置された一つ又は一つ以上の横向き斜め寝かせ置きスタンドと、
前記本体の背面の縦向き斜め寝かせ置きスタンド収納溝に載置された一つ又は一つ以上の縦向き斜め寝かせ置きスタンドと、
を備えたタブレットＰＣの保護フレーム構造。
【請求項２】
前記軟質カバーは、前記本体と一体に成形され、前記横向き直立置きスタンドと前記横向き斜め寝かせ置きスタンドが、それぞれ前記軟質カバーの背面の前記横向き直立置きスタンド収容溝と前記横向き斜め寝かせ置きスタンド収納溝に載置されることを特徴とする請求項１に記載のタブレットＰＣの保護フレーム構造。
【請求項３】
前記軟質カバーには縦持ち用取っ手又は横持ち用取っ手が設けられていることを特徴とする請求項１又は２に記載のタブレットＰＣの保護フレーム構造。
【請求項４】
前記タブレットＰＣには、電子ブック及び類似のタブレット製品が含まれることを特徴とする請求項１又は２に記載のタブレットＰＣの保護フレーム構造。
【請求項５】
前記直立置きスタンドは、前記タブレットＰＣを適度な角度を持たせて直立するよう調節することができることを特徴とする請求項１又は２に記載のタブレットＰＣの保護フレーム構造。
【請求項６】
前記斜め寝かせ置きスタンドは、前記タブレットＰＣを斜めに傾斜角を持たせて寝かせるためのものであることを特徴とする請求項１又は２に記載のタブレットＰＣの保護フレーム構造。
【請求項７】
前記スタンドの選択と使用は、使用者の需要に応じて決めることができることを特徴とする請求項１又は２に記載のタブレットＰＣの保護フレーム構造。
【請求項８】
前記本体は、前記タブレットＰＣ又は前記電子ブック又は前記類似のタブレット製品と直接一体に成形されることを特徴とする請求項１又は２に記載のタブレットＰＣの保護フレーム構造。
【考案の詳細な説明】
【技術分野】
【０００１】
本考案はタブレットＰＣの保護フレーム構造に関し、特にタブレットＰＣを、横向き又は縦向きで、直立又は斜めに寝かせる形で作業スペースに置くことができ、且つ、タブレットＰＣを横向き又は縦向きで手に持つことが可能であり、使用者が閲覧又は画面をタッチするのに便利な保護フレーム構造に関する。
【背景技術】
【０００２】
テクノロジーの進歩に伴い、タブレットＰＣは、使用者に携帯の利便性を提供すべく、体積を小さくし、重量を軽くすることが求められている。しかし、タブレットＰＣの体積を小さくすればするほど、使用者が操作する際の利便性には一定の限界が生じることとなる。
【０００３】
そこで、現在、市場においては、タブレットＰＣに掻き傷が生じないようにし、使用上の利便性を向上するための、様々なタブレットＰＣ用の保護カバーとスタンドが出回っている。しかしながら、これらの保護カバーとスタンドはいずれも個別の形態であって、保護カバーとスタンドのどちらか一つの機能しか具えず、二つの機能を同時に兼ね備えたものはまだない。
【考案の概要】
【考案が解決しようとする課題】
【０００４】
そのため、本考案者は、上記の課題を解決するために、タブレットＰＣの保護フレーム構造を考案した。
【課題を解決するための手段】
【０００５】
本考案は、タブレットＰＣの保護カバーとスタンドの機能を兼ね備えたフレーム構造を提供することを主な目的とする。このフレーム構造は、主に軟質保護カバーと、横向き直立置きスタンド、複数の横向き斜め寝かせ置きスタンド、縦向き直立置きスタンド、複数の縦向き斜め寝かせ置きスタンドからなるスタンドセットと、を含み、或いは、軟質保護カバーと、横向き直立置きスタンド、横向き斜め寝かせ置きスタンドからなるスタンドセットと、のみを含んでもよい。
【０００６】
本考案はまた、横向き直立置き、横向き斜め寝かせ置き、縦向き直立置き、縦向き斜め寝かせ置きの形態で作業スペースに置くことができ、且つ、フレームに設けられた取っ手によって、使用者が横向き又は縦向きでタブレットＰＣや電子ブックを手に持って操作する上での利便性を提供することを目的とする。これにより、使用者は異なる置き方と異なる角度を選択して、タブレットＰＣや電子ブックで閲覧し、タッチパネルでタブレットＰＣや電子ブックを操作することが可能となる。
【図面の簡単な説明】
【０００７】
【図１】本考案の正面を示した立体図である。
【図２】本考案の背面を示した立体図である。
【図３】本考案の立体分解図である。
【図４】本考案の本体背面を示した立体図である。
【図５】本考案を横向き斜め寝かせ置きの状態を示す立体図である。
【図６】本考案を縦向き斜め寝かせ置きの状態を示す立体図である。
【図７】本考案を横向き直立置きの状態を示す立体図である。
【図８Ａ】本考案を縦向き直立置きの状態を示す立体図である。
【図８Ｂ】本考案を縦向き直立置きの状態を示す立体図である。
【図９】本考案の他の実施例における正面を示した立体図である。
【図１０】本考案の他の実施例における背面を示した立体図である。
【図１１】本考案の他の実施例における正面を示した立体分解図である。
【図１２】本考案の他の実施例における背面を示した立体分解図である。
【図１３】本考案の他の実施例における横断面図である。
【図１４】本考案の他の実施例における縦断面図である。
【図１５】本考案の他の実施例において横向き直立置きの状態を示す立体図である。
【図１６】本考案の他の実施例において横向き斜め寝かせ置きの状態を示す立体図である。
【考案を実施するための形態】
【０００８】
本考案の詳細な説明と技術内容について、以下、図面を用いながら述べる。
【実施例】
【０００９】
まず、図１、図２は本考案の正面及び背面を示した立体図であるが、これらの図から、本考案には、軟質保護カバー１０、本体３０、横向き直立置きスタンド４０、複数の横向き斜め寝かせ置きスタンド５０、縦向き直立置きスタンド６０、及び複数の縦向き斜め寝かせ置きスタンド７０が含まれることが分かる。
【００１０】
このうち、図３、図４に示すように、本体３０はタブレットＰＣを載置するのに用いられ、タブレットＰＣの収容空間３１を備えており、収容空間３１の二つの内側に係止リブ３２が設けられ、背面には、横向き・縦向き斜め寝かせ置きスタンド収納溝３３／３４と、横向き・縦向き直立置きスタンド収納溝３５／３６がそれぞれ設けられている。横向き・縦向き直立置きスタンド収納溝３５／３６には、軸孔３５１／３６１と手指位置３５２／３６２がそれぞれ設けられている。
【００１１】
横向き直立置きスタンド４０の両端にはそれぞれ回転軸４１が設けられ、両側には複数の滑り止め４２が設けられている。
【００１２】
横向き斜め寝かせ置きスタンド５０の両端にはそれぞれ回転軸５１が設けられ、中央に滑り止め５２が設けられている。
【００１３】
縦向き直立置きスタンド６０の両端にはそれぞれ回転軸６１が設けられ、中央に複数の滑り止め６２が設けられている。
【００１４】
縦向き斜め寝かせ置きスタンド７０両端にはそれぞれ回転軸７１が設けられ、中央に滑り止め７２が設けられている。
【００１５】
図５において、本考案の横向き斜め寝かせ置きスタンド５０の使用状態を示し、図６において、本考案の縦向き斜め寝かせ置きスタンド７０の使用状態を示し、図７において、本考案の横向き直立置きスタンド４０の使用状態を示し、図８Ａ・図８Ｂにおいて、本考案の縦向き直立置きスタンド６０の使用状態を示した。
【００１６】
図９及び図１６に示すように、本考案の保護フレーム構造において、更に軟質カバーと金属スタンド構造を直接用いることができる。
【００１７】
図９及び図１０は、本考案の他の実施例における正面及び背面を示した立体図であるが、図に示すように、本考案の他の実施例には、軟質カバー１０、横向き直立置きスタンド４０、横向き斜め寝かせ置きスタンド５０が含まれる。
【００１８】
このうち、図１１及び図１２に示すように、軟質カバー１０はタブレットＰＣを載置するのに用いられ、横持ち用取っ手１１、縦持ち用取っ手１２が設けられ、背面には横向き直立置きスタンド収納溝１３が設けられ、当該収納溝１３の両端には横向き直立置きスタンド４０に設けられた回転軸４１が嵌設されるための軸孔１４が設けられることで、スタンドを回転させ直立させる目的を達成している。同様に、横向き斜め寝かせ置きスタンド収納溝１５の両端には横向き斜め寝かせ置きスタンド５０に設けられた回転軸５１が嵌設されるための軸孔１６が設けられることで、スタンドを回転させ斜めに寝かせて置く目的を達成している。横向き直立置きスタンド収納溝１３と横向き斜め寝かせ置きスタンド収納溝１５には、それぞれ手指位置１７／１８が設けられ、これによってスタンドが引き出しやすくなっている。
【００１９】
横向き直立置きスタンド４０の両端には回転軸４１が設けられ、両側には複数の滑り止め４２が設けられている。横向き斜め寝かせ置きスタンド５０の両端には回転軸５１が設けられ、両側には複数の滑り止め５２が設けられている。
【００２０】
図１３は、本考案の他の実施例における横断面図であるが、タブレットＰＣ２０が軟質カバー１０内に載置されている。また図１４は本考案の他の実施例における縦断面図であり、図１３と同様、タブレットＰＣ２０が軟質カバー１０内に載置されている。
【００２１】
図１５において、本考案の他の実施例における横向き直立置きスタンド４０の使用状態を示し、図１６において、本考案の他の実施例における横向き斜め寝かせ置きスタンド５０の使用状態を示した。
【００２２】
上述の本考案に係るタブレットＰＣの保護フレーム構造は、軟質カバーと本体を一体成形にして、タブレットＰＣや電子ブック又は類似のタブレット製品上に直接設計して用いることも可能である。
【００２３】
以上の説明および図面は、本考案において選択的に用いられた実施例の構造に過ぎず、例示的に説明するものに過ぎない。実用新案登録出願に際しては、この構造の制限を受けることはなく、上記構造は本考案の実質的な実施範囲を限定するものではない。以上の説明及び以下の実用新案登録請求の範囲に記載された構造特徴及び機能に対して施された各種変更や、数値の変更、或いは等価の素子への取り換えについては、依然として本考案の範囲に属するものである。
【符号の説明】
【００２４】
１０  軟質カバー
１１  横持ち用取っ手
１２  縦持ち用取っ手
１３  横向き直立置きスタンド収納溝
１４  軸孔
１５  横向き斜め寝かせ置きスタンド収納溝
１６  軸孔
１７  横向き直立置きスタンド収納溝の手指位置
１８  横向き斜め寝かせ置きスタンド収納溝の手指位置
２０  タブレットＰＣ
３０  本体
３１  収容空間
３２  係止リブ
３３  横向き斜め寝かせ置きスタンド収納溝
３４  縦向き斜め寝かせ置きスタンド収納溝
３５  横向き直立置きスタンド収納溝
３５１  軸孔
３５２  手指位置
３６  縦向き直立置きスタンド収納溝
３６１  軸孔
３６２  手指位置
４０  横向き直立置きスタンド
４１  回転軸
４２  滑り止め
５０  横向き斜め寝かせ置きスタンド
５１  回転軸
５２  滑り止め
６０  縦向き直立置きスタンド
６１  回転軸
６２  滑り止め
７０  縦向き斜め寝かせ置きスタンド
７１  回転軸
７２  滑り止め
【図１】
0003164188.tif 000003
【図２】
0003164188.tif 000004
【図３】
0003164188.tif 000005
【図４】
0003164188.tif 000006
【図５】
0003164188.tif 000007
【図６】
0003164188.tif 000008
【図７】
0003164188.tif 000009
【図８Ａ】
0003164188.tif 000010
【図８Ｂ】
0003164188.tif 000011
【図９】
0003164188.tif 000012
【図１０】
0003164188.tif 000013
【図１１】
0003164188.tif 000014
【図１２】
0003164188.tif 000015
【図１３】
0003164188.tif 000016
【図１４】
0003164188.tif 000017
【図１５】
0003164188.tif 000018
【図１６】
0003164188.tif 000019